【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
下壁および上壁を有するケースと、
上記ケースに収容された複数の電池セルと、を具備する電池ユニットであって、
上記ケースは、
少なくとも一つの電池セルを収容するように上記下壁と上記上壁との間に形成された第１の部分と、
少なくとも一つの電池セルを収容するように上記下壁と上記上壁との間に形成された第２の部分と、
上記上壁に設けられた凹部と上記下壁との間に形成され、上記第１の部分と上記第２の部分との間に位置する第３の部分とを含み、
上記上壁の凹部と上記下壁との間の厚さは、上記第１の部分および上記第２の部分における上記下壁と上記上壁との間の厚さよりも薄く形成されているとともに、上記第３の部分は、上記下壁と上記上壁との間に亘って設けられた補強リブを有することを特徴とする電池ユニット。
【請求項２】
請求項１の記載において、上記補強リブは、互いに交差する複数のリブを有し、これらリブは、上記ケースに一体に形成されていることを特徴とする電池ユニット。
【請求項３】
請求項２の記載において、上記ケースは、上記第１の部分と上記第３の部分との間の境界および上記第２の部分と上記第３の部分との間の境界に夫々位置するリブを有し、これらリブは、上記下壁と上記上壁との間に亘って設けられていることを特徴とする電池ユニット。
【請求項４】
請求項３の記載において、上記ケースは、上記下壁と上記上壁との間に上記第１の部分を規定する起立壁と、上記下壁と上記上壁との間に上記第２の部分を規定する起立壁とを有し、上記起立壁は互いに対向し合う壁部を有するとともに、リブは上記壁部に沿って設けられていることを特徴とする電池ユニット。
【請求項５】
請求項４の記載において、上記補強リブは、上記壁部に沿うリブの間に位置することを特徴とする電池ユニット。
【請求項６】
下壁および上壁を有するとともに、機構部品を有する電子機器に搭載可能なケースと、
上記ケースに収容された複数の電池セルと、を具備する電池ユニットであって、
上記ケースは、
少なくとも一つの電池セルを収容するように上記下壁と上記上壁との間に形成された第１の部分と、
少なくとも一つの電池セルを収容するように上記下壁と上記上壁との間に形成された第２の部分と、
上記下壁と上記上壁との間に形成され、上記第１の部分と上記第２の部分との間に位置するとともに、上記機構部品が重なる第３の部分とを含み、
上記ケースは、上記第３の部分の上壁に対応する位置に上記機構部品を避ける凹部を有し、この凹部と上記下壁との間の厚さは、上記第１の部分および上記第２の部分における上記下壁と上記上壁との間の厚さよりも薄く形成されているとともに、上記第３の部分は、上記下壁と上記上壁との間に亘って設けられた補強リブを有することを特徴とする電池ユニット。
【請求項７】
請求項６の記載において、上記ケースの第３の部分は、上記第１の部分と上記第２の部分との間を繋いでいることを特徴とする電池ユニット。
【請求項８】
請求項７の記載において、上記補強リブは、上記ケースの短軸方向に伸びる複数のリブと、上記ケースの長軸方向に伸びる複数のリブとを有する格子状をなしており、これらリブは、上記ケースに一体に形成されていることを特徴とする電池ユニット。
【請求項９】
請求項８の記載において、上記ケースは、上記第１の部分と上記第３の部分との間の境界および上記第２の部分と上記第３の部分との間の境界に夫々位置するリブを有し、上記補強リブは、上記リブの間に位置することを特徴とする電池ユニット。
【手続補正２】
【補正対象書類名】明細書
【補正対象項目名】０００５
【補正方法】変更
【補正の内容】
【０００５】
上記目的を達成するため、本発明の一つの形態に係る電池ユニットは、
下壁および上壁を有するケースと、上記ケースに収容された複数の電池セルと、を備えている。
上記ケースは、
少なくとも一つの電池セルを収容するように上記下壁と上記上壁との間に形成された第１の部分と、
少なくとも一つの電池セルを収容するように上記下壁と上記上壁との間に形成された第２の部分と、
上記上壁に設けられた凹部と上記下壁との間に形成され、上記第１の部分と上記第２の部分との間に位置する第３の部分とを含み、
上記上壁の凹部と上記下壁との間の厚さは、上記第１の部分および上記第２の部分における上記下壁と上記上壁との間の厚さよりも薄く形成されているとともに、上記第３の部分は、上記下壁と上記上壁との間に亘って設けられた補強リブを有することを特徴としている。
【手続補正３】
【補正対象書類名】明細書
【補正対象項目名】０００６
【補正方法】変更
【補正の内容】
【０００６】
上記目的を達成するため、本発明の一つの形態に係る電池ユニットは、
下壁および上壁を有するとともに、機構部品を有する電子機器に搭載可能なケースと、上記ケースに収容された複数の電池セルと、を備えている。
上記ケースは、(1)少なくとも一つの電池セルを収容するように上記下壁と上記上壁との間に形成された第１の部分と、(2)少なくとも一つの電池セルを収容するように上記下壁と上記上壁との間に形成された第２の部分と、(3)上記下壁と上記上壁との間に形成され、上記第１の部分と上記第２の部分との間に位置するとともに、上記機構部品が重なる第３の部分とを含み、
上記ケースは、上記第３の部分の上壁に対応する位置に上記機構部品を避ける凹部を有し、この凹部と上記下壁との間の厚さは、上記第１の部分および上記第２の部分における上記下壁と上記上壁との間の厚さよりも薄く形成されているとともに、上記第３の部分は、上記下壁と上記上壁との間に亘って設けられた補強リブを有することを特徴としている。
【手続補正４】
【補正対象書類名】明細書
【補正対象項目名】０００７
【補正方法】変更
【補正の内容】
【０００７】
本発明によれば、電子機器等に搭載する際に、これを薄型化することが可能な電池ユニットが得られる。
【手続補正５】
【補正対象書類名】明細書
【補正対象項目名】００１８
【補正方法】変更
【補正の内容】
【００１８】
また、第２の部材６２は、第１の収容部６５の内部に、第２の隔壁６４の立ち上がり端部から水平方向に張り出す、機構部品としてのポインティングデバイス支持部６８を有している。ポインティングデバイス支持部６８は、下方に膨らんでいる（図７参照）。なお、ポインティングデバイス支持部６８は、第１の部材６１によって形成してもよい。
【手続補正６】
【補正対象書類名】明細書
【補正対象項目名】００１９
【補正方法】変更
【補正の内容】
【００１９】
第１の収容部６５は、パームレスト１２の下方において、第１の筐体１０の幅方向に延びている。第１の収容部６５は、第１の筐体１０の下方に開放する凹部にて構成されている。第２の収容部６６は、側壁１１ｄ側に寄せた位置に、第１の収容部６５と幅方向に並んで設けられている。第３の収容部６７は、キーボード１４の下方、すなわち、第１及び第２の収容部６５，６６の後方に設けられている。
【手続補正７】
【補正対象書類名】明細書
【補正対象項目名】００２４
【補正方法】変更
【補正の内容】
【００２４】
図６及び図７に示すように、ＨＤＤ５０は、パームレスト１２の下方であって、且つ、側壁１１ｄ側に寄せて設けられている。ＨＤＤ５０は、ＨＤＤ支持部材５１に支持された状態で、第１の筐体１０の内部である第２の収容部６６の内部に収容されている。ＨＤＤ支持部材５１は、第１の筐体１０にネジ止めされている
【手続補正８】
【補正対象書類名】明細書
【補正対象項目名】００３０
【補正方法】変更
【補正の内容】
【００３０】
一対の起立端面７２，７３のうち、一方の起立端面７２は、第１の隔壁６３の一対の端面のうちの第１の収容部６５側の端面であり、他方の起立端面７３は、側壁１１ｅの内面である。一対の起立側面７４，７５のうち、一方の起立側面７４は、第２の隔壁６４の一対の端面のうちの第１の収容部６５側の端面であり、他方の起立側面７５は、前壁１１ｃの内面である。
【手続補正９】
【補正対象書類名】明細書
【補正対象項目名】００３３
【補正方法】変更
【補正の内容】
【００３３】
第１の収容部１１１に収容される４つの電池セル１０２ａ〜１０２ｄは、プラス同士及びマイナス同士が各々配線（例えば薄板）１０４を介して基板１０３と電気的に接続されている。同様に、第２の収容部１１２に収容される２つの電池セル１０２ｅ，１０２ｆは、プラス同士及びマイナス同士が各々配線（例えば薄板）１０４を介して基板１０３と電気的に接続されている。したがって、この電池ユニット１００は、いわゆる、３直（３直列）２パラ（２並列）構造となっている。
【手続補正１０】
【補正対象書類名】明細書
【補正対象項目名】００３９
【補正方法】変更
【補正の内容】
【００３９】
図３に示すように、ケース１０１が有する一対の側面のうちの一方の側面（後面）には、係合部１０６ｃが設けられている。また、図１２に示すように、ケース１０１が有する一対の側面のうちの他方の側面（前面）には、一対の係合部１０６ａ，１０６ｂが設けられている。係合部１０６ａ，１０６ｂは、ケース１０１の長手方向に離間している。
【手続補正１１】
【補正対象書類名】明細書
【補正対象項目名】００４２
【補正方法】変更
【補正の内容】
【００４２】
上記のような電池ユニット１００は、第１の収容部６５に取り外し可能に装着可能である。電池ユニット１００は、ポータブルコンピュータ１を商用電源が得られないような場所で使用する場合等において、その駆動用電源となるものであって、ポータブルコンピュータ１の中でも比較的大きな重量を有している。
【手続補正１２】
【補正対象書類名】明細書
【補正対象項目名】００６５
【補正方法】変更
【補正の内容】
【００６５】
図１４は、電池ユニットの上壁、電池セル、その他部品を取り除いた状態を示す平面図である。電池ユニット１００のケース１０１は、電池ユニット１００の側壁を形成する側壁２００を有している。側壁２００の内側には第１の部分１１１を規定する起立壁２０１と、第２の部分１１２を規定する起立壁２０２が設けられる。第１の部分１１１を規定する起立壁２０１は壁部２０１ａを有し、第２の部分１１２を規定する起立壁２０２は壁部２０２ａを有している。壁部２０１ａと壁部２０２ａとは互いに対向している。
壁部２０１ａ，２０２ａの互いに対向する側には、補強用のリブ２０３，２０４がケース１０１から突出して設けられている。リブ２０３は壁部２０１ａに沿って設けられているとともに、リブ２０４は壁部２０２ａに沿って設けられており、リブ２０３，２０４も互いに対向している。リブ２０３，２０４には、さらにリブ２０３，２０４を補強するためにリブ２０３，２０４と直交する方向に延びる補強リブ２０３ａ，２０４ａが一体に複数間隔で設けられている。
【手続補正１３】
【補正対象書類名】明細書
【補正対象項目名】００６７
【補正方法】変更
【補正の内容】
【００６７】
図１６は、図１４中Ｚ−Ｚ線に沿って切断して示す断面図である。図１６に示すように、複数の補強リブ２０５ａ〜２０５ｅは下壁３０１と上壁３０２とに亘って設けられている。また、壁部２０１ａ，２０２ａと対向するリブ２０３，２０４とは、リブ２０５と同様に下壁３０１と上壁３０２とに亘って設けられている。
こうすることにより、第１の部分１１１と第２の部分１１２との間に設けられた第３の部分が第１の部分１１１、第２の部分１１２よりも薄く形成されていたとしても、ケース１０１の剛性を高くすることができる。
【手続補正１４】
【補正対象書類名】図面
【補正対象項目名】図１３
【補正方法】変更
【補正の内容】
【図１３】
2006302572.tif 000001
【手続補正１５】
【補正対象書類名】図面
【補正対象項目名】図１４
【補正方法】変更
【補正の内容】
【図１４】
2006302572.tif 000002